(57)【要約】【課題】  デジタル方式のノイズキャンセルヘッドホンにおいて、利用者が任意にキャンセルするノイズの条件を設定変更できて、再生音質にも優れたノイズキャンセルヘッドホンを提供する。【解決手段】  周囲の騒音を電気信号に変換するマイクロホンと、マイクロホンで変換される騒音信号の位相を反転させてキャンセルノイズを生成するキャンセルノイズ生成手段と、オーディオ信号と上記キャンセルノイズを混合して信号・音響変換素子に入力する混合器と、を備えるデジタル方式のノイズキャンセルヘッドホンにおいて、ノイズキャンセル生成手段の動作条件を記憶する記憶手段と、記憶手段から動作条件の読出し条件を選択する選択手段とを有し、キャンセルノイズ生成手段が選択手段によって記憶手段から読み出された動作条件に基づいて動作するよう構成されたノイズキャンセルヘッドホンによる。【選択図】図２
2008028937.tif 000002
【特許請求の範囲】
【請求項１】
周囲の騒音を電気信号に変換するマイクロホンと、マイクロホンで変換される騒音信号の位相を反転させてキャンセルノイズを生成するキャンセルノイズ生成手段と、オーディオ信号と上記キャンセルノイズを混合して信号・音響変換素子に入力する混合器と、を備えるノイズキャンセルヘッドホンにおいて、
上記ノイズキャンセル生成手段の動作条件を記憶する記憶手段と、
上記記憶手段から動作条件の読出し条件を選択する選択手段とを有し、
上記キャンセルノイズ生成手段が、上記選択手段によって上記記憶手段から読み出された動作条件に基づいて動作するよう構成されていることを特徴とするノイズキャンセルヘッドホン。
【請求項２】
上記動作条件は、上記マイクロホンが電気信号に変換する周囲騒音の音量レベルであって、所定の騒音レベル以下ではキャンセルノイズ生成手段の動作を停止するものであることを特徴とする請求項１記載のノイズキャンセルヘッドホン。
【請求項３】
上記動作条件は、上記マイクロホンが電気信号に変換する周囲騒音に含まれる周波数帯域から所定の周波数帯域のみを通過させるフィルタの係数であることを特徴とする請求項１記載のノイズキャンセルヘッドホン。
【請求項４】
上記動作条件は、上記キャンセルノイズの出力音量レベルであることを特徴とする請求項１記載のノイズキャンセルヘッドホン。
【請求項５】
周囲の騒音を電気信号に変換するマイクロホンと、マイクロホンで変換される騒音信号の位相を反転させてキャンセルノイズを生成するキャンセルノイズ生成手段と、オーディオ信号と上記キャンセルノイズを混合して信号・音響変換素子に入力する混合器と、を備えるノイズキャンセルヘッドホンにおいて、
上記キャンセルノイズ生成手段はデジタル・シグナル・プロセッサで構成され、
上記混合器は、アナログ信号の混合器であることを特徴とするノイズキャンセルヘッドホン。
【請求項６】
周囲の騒音を電気信号に変換するマイクロホンと、マイクロホンで変換される騒音信号の位相を反転させてキャンセルノイズを生成するキャンセルノイズ生成手段と、オーディオ信号と上記キャンセルノイズを混合して信号・音響変換素子に入力する混合器と、を備えるノイズキャンセルヘッドホンにおいて、
上記マイクロホンは、ヘッドホン筐体内であって上記信号・音響変換素子から出力される信号による音響空間外に設置されていることを特徴とするノイズキャンセルヘッドホン。
【請求項７】
上記ヘッドホンは、ヘッドホンユニットを左右に有するステレオヘッドホンであって、左右のヘッドホンユニットにマイクロホンを備え、このマイクロホンで変換される騒音信号に基づき、キャンセルノイズ生成手段がキャンセルノイズを生成し、左右のヘッドホンユニットごとにそれぞれのオーディオ信号と上記キャンセルノイズを混合する混合器を備えている請求項１乃至６の何れかに記載のノイズキャンセルヘッドホン。
【請求項８】
周囲の騒音を電気信号に変換するマイクロホンと、マイクロホンで変換される騒音信号の位相を反転させてキャンセルノイズを生成するキャンセルノイズ生成手段と、オーディオ信号と上記キャンセルノイズを混合して信号・音響変換素子に入力する混合器と、キャンセルノイズ生成手段の動作条件を記憶する記憶手段と、記憶手段から動作条件の読出し条件を選択する選択手段と、を備えるノイズキャンセルヘッドホンにおけるノイズキャンセル方法であって、
ヘッドホン筐体内であって上記信号・音響変換素子から出力される信号による音響空間外に設置されているマイクロホンが捉える騒音の音量レベルが選択手段に基づいて記憶手段から読み出した動作条件が規定する騒音レベル以上であることを検知し、上記動作条件に基づいて選択されるＦＩＲフィルタ係数と上記動作条件に基づいて選択される出力音量レベルでキャンセルノイズを生成し、アナログ回路で構成された上記加算器に出力することを特徴とするヘッドホンにおけるノイズキャンセル方法。
【発明の詳細な説明】
【技術分野】
【０００１】
本発明は、デジタル・シグナル・プロセッサ（以下「ＤＳＰ」という）を用いたノイズキャンセルヘッドホンに関するものであって、特に、利用者が任意にキャンセルするノイズの条件を設定変更できて、再生音質にも優れたノイズキャンセルヘッドホンに関するものである。
【背景技術】
【０００２】
例えば、テーププレーヤ、ＣＤプレーヤ、ＭＤプレーヤなどの携帯型の音楽プレーヤが普及し、最近ではハードディスク型やフラッシュメモリ型などの、より小型で大容量の携帯型音楽プレーヤが急速に普及しつつある。このような携帯型音楽プレーヤの普及に伴い、それに使用するヘッドホンもより高性能のものが求められ、さらに、街頭や乗り物の中で音楽を聴こうとする場合に、周囲の騒音に邪魔されることなく、音楽のみが聞こえるようにしたノイズキャンセルヘッドホンも望まれるようになってきた。音楽の再生音に混じって周囲の騒音が耳に入ると、ヘッドホンで再生される音楽が高音質のものであっても、騒音によってかき消されてしまい、高音質の音楽を楽しむことができなくなるからである。また、騒音の中で音楽を聴こうとすると、音量を上げて聞きがちになり、音量を上げることによってヘッドホンから外に向かって音漏れが生じ、乗り物などの中では周囲の人たちにとって不愉快な騒音源になるという問題もある。このような背景があって、ノイズキャンセルヘッドホンが普及し始めている。
【０００３】
現在市販されているノイズキャンセルヘッドホンの大半はアナログ方式のノイズキャンセルヘッドホンである。これは、ヘッドホンに組み込んだマイクロホンで周囲の音（再生音に対しては騒音であるから、以下「騒音」という）を捉え、捉えた騒音の位相を反転して、音楽プレーヤからの再生信号に混合する方式である。外部からヘッドホン内部に侵入する騒音は、位相が反転された信号で打ち消され、音楽プレーヤからの再生信号のみが使用者の耳に入るという仕組みである。その概要を示す図４において、符号４２で示すノイズＮは、ヘッドホンに装着されたマイクロホンで捉えられる周囲の騒音であって、アナログ回路４０が備えている位相反転器４４において位相を１８０度反転した−Ｎ’の信号となる。騒音信号の反転信号−Ｎ’と、プレーヤによって再生される再生信号Ｓは混合器４６によって加算され、この加算された信号で図示しない音響変換器すなわちスピーカが駆動される。ヘッドホン内部には騒音Ｎが回り込む。この回り込んだ騒音Ｎはその反転信号−Ｎ’と合成されて符号４８で示すようにＮ−Ｎ’の信号となり、騒音Ｎの大半は反転信号−Ｎ’でキャンセルされて、使用者はほぼ再生音Ｓのみを聴くことができる、という仕組みになっている。また、上記混合機器４６の代わりに、騒音Ｎの逆位相の音を発生する信号音響変換素子（スピーカ）を設けて、騒音Ｎをキャンセルするものもある。
【０００４】
最近では、デジタル方式のノイズキャンセルヘッドホンも提案されている。その例を図５に示す。図５において、符号５０はデジタル方式ノイズキャンセルヘッドホンの主体をなすデジタル信号処理に特化したプロセッサ（以下「ＤＳＰ」という）を示す。ＤＳＰ５０は、ヘッドホンに組み込まれたマイクロホンで捉えられる騒音信号Ｎ（５２）を周波数分析する高速フーリエ変換器（以下「ＦＦＴ」という）５４と、ＦＦＴ５４で周波数分析することにより得られる周波数特性５６から、キャンセルする周波数帯域を選択する選択部５８と、選択された周波数帯域の信号を逆フーリエ変換して周波数選択されたキャンセル音信号−Ｎ’’を生成する逆フーリエ変換器（ＩＦＦＴ）６０と、プレーヤによる再生信号Ｓと上記キャンセル音信号−Ｎ’’を加算して出力する加算器６４を備えている。ヘッドホンに回り込んで侵入する騒音Ｎは、上記キャンセル音−Ｎ’’と合成されてＮ−Ｎ’’の信号６６となり、騒音Ｎの大半はキャンセルされて、使用者はほぼ再生音Ｓのみを聴くことができる。
【０００５】
アナログ方式ノイズキャンセルヘッドホンの先行技術として、例えば、特許文献１，特許文献２記載の発明などがある。騒音Ｎの逆位相の音を発生する信号音響変換素子を設けた例として特許文献３記載の発明がある。デジタル方式ノイズキャンセルヘッドホンの先行技術として、例えば、特許文献４記載の発明がある。
【０００６】
【特許文献１】特開平１１―３０８６８５号公報
【特許文献２】特開平１１―２３７８８９号公報
【特許文献３】特開２０００―５９８７６号公報
【特許文献４】特開平０９―９３６８４号公報
【０００７】
図４に示すようなアナログ方式ノイズキャンセルヘッドホンによれば、コイル（インダクタンス）やコンデンサ（キャパシタンス）及び抵抗を用いて位相を反転する回路を構成しているため、（１）位相を反転するときにパワースペクトルを正確に反転することができない、（２）位相を反転する時に、遅延を正確に実現することができない、すなわち、騒音に対して逆位相信号が遅延する、といった問題があり、結果として十分なキャンセル効果を得ることができない。
【０００８】
また、アナログ方式ノイズキャンセルヘッドホンは、キャンセルする騒音Ｎの特性に合わせて位相反転回路を設計するため、例えば利用者が特定の周波数帯域の騒音Ｎだけはキャンセルしたくない、または、一定音量以上の騒音Ｎだけをキャンセルしたいなどの多様な嗜好に合わせた回路設計をすることはできない。仮に、利用者が好みによってノイズキャンセル特性を設定・変更できるようにするならば、設定可能な数だけ位相反転回路が必要になり現実的な解決ではない。
【０００９】
図５に示すような従来のデジタル方式ノイズキャンセルヘッドホンによれば、（１）
ＦＦＴ及びＩＦＦＴにおいて計算に時間を要し、騒音Ｎの位相変化に対して計算結果の位相が対応せず、十分なキャンセル効果を得ることが出来ない、（２）騒音の周波数ごとにキャンセル音を計算するため、計算に長い時間を要し、計算時間を節約するために周波数帯域を狭めなければキャンセル効果を得ることができず、結果として十分なキャンセル効果を得ることができない。
【００１０】
そこで、本出願人は、周囲の騒音を電気信号に変換するマイクロホンと、マイクロホンで変換される騒音信号から将来発生する騒音信号を予測する予測手段と、予測した騒音信号の位相を反転させてキャンセルノイズを生成するキャンセルノイズ生成手段と、オーディオ信号とキャンセルノイズを加算して信号音響変換素子に入力する加算器と、を備えた、デジタル方式のノイズキャンセルヘッドホンに関して先に特許出願した（特願２００５−１４５８６８参照）。
【００１１】
また、本出願人は、ヘッドホンを装着した状態では、ヘッドホンの筐体が高音領域（高い周波数領域）において遮音効果を持ち、ヘッドホンの筐体を回り込んで耳に伝わる騒音は低音領域であることに着目し、騒音信号の予測量を減らすことで、予測処理を高精度かつ高速に行えるようにするために、低音領域についてノイズキャンセルするノイズキャンセルヘッドホンに関して先に出願した（特願２００５−３７７１９３参照）。
【００１２】
また、本出願人は、上記ノイズキャンセルヘッドホンの騒音信号予測処理について、ＦＩＲ（Finite  Impulse  Response：有限インパルス応答）フィルタを用いてリアルタイム処理行なう際に、騒音信号を１回サンプリングするごとに将来に向かってＮ回目のサンプリングまで予測することができるようにし、予測精度を高める一方、予測処理に必要なデータ量の低減を可能にして、小規模の処理デバイスでも迅速な処理を可能にした実用性の高いノイズキャンセルヘッドホンに関して先に出願した（特願２００６−００６２５１参照）。
【００１３】
上記出願にかかるノイズキャンセルヘッドホンによれば、マイクロホンで変換される過去の騒音信号から将来発生する騒音信号を予測し、予測した騒音信号の位相を反転させてキャンセルノイズを生成し、このキャンセルノイズによって周囲の騒音をキャンセルするように構成されているため、キャンセルノイズ生成手段による計算遅れや動作遅れがあっても、実際に生じるノイズの位相変化に対応してノイズをキャンセルすることができる。
【発明の開示】
【発明が解決しようとする課題】
【００１４】
しかし、本出願人による上記先の特許出願にかかるノイズキャンセルヘッドホンにおいて未解決課題がある。上記デジタルノイズキャンセルヘッドホンは、効率的にキャンセルノイズを生成することで、騒音Ｎを打ち消すことを目的としている。このため、キャンセル対象とする騒音Ｎの周波数帯域は、予め設計段階で固定する必要があり、この設計に基づいてスピーカの周波数特性を決定することになるため、再生音を高音質で出力するためのスピーカ選択は行なうことができない。したがって、高音質のノイズキャンセルヘッドホンを得ることが困難である。
【００１５】
上記課題を解決するために、また、利用者の嗜好によるキャンセルする騒音Ｎの周波数帯域を任意に設定変更できるようにするためには、複数の周波数帯域に対応するキャンセルノイズ生成手段を備えることが必要となる。そのためには、複数のＤＳＰ５０を使用することが必要となるため、ヘッドホン筐体内のスペースによって収めることができるＤＳＰ５０の数が制限されるという限界があった。
【００１６】
また、マイクがスピーカから出力された再生音も騒音Ｎと一緒に捉えてしまい、そのままキャンセルノイズ生成処理に用いため、再生音の出力レベルが減衰し、音が小さくなるという課題も生じる。さらに、再生音に含まれる高周波帯域の信号の処理は位相が変化してしまうので、再生音そのものが結果として騒音源となってしまうという課題も生じる。これを回避するために、スピーカからの再生音を集音しない位置にマイクを設置することが必要となるが、従来のノイズキャンセルヘッドホンでは、ヘッドホン筐体を利用者が触った際の接触音なども騒音Ｎとして検知してしまうので、キャンセルノイズ生成処理はさらに困難になる。そのため、マイクの設置位置はスピーカ側にせざるを得なかった。また、スピーカ側にマイクが設置されるために、ハウリングが発生する懸念がある。これを回避するためには、スピーカの周波数特性を調整する必要があり、高音質のノイズキャンセルヘッドホンを実現することはさらに困難であった。
【００１７】
さらに、図５に示すようなデジタル方式ノイズキャンセルヘッドホンでは、ＤＳＰ内のデジタル回路で構成される加算器６４によって、キャンセルノイズと再生信号Ｓを加算するために、ＤＳＰを駆動する電源（主に乾電池を用いる例が多い）の電圧が低下すると、ＤＳＰが動作しなくなり、再生信号Ｓをスピーカから出力することが出来なくなっていた。
【００１８】
本発明は、上記の様々な課題を鑑みてなされたもので、利用者が任意に設定変更することができ、かつ、高音質な再生信号を出力することができるようにスピーカの周波数特性に合わせたノイズキャンセル機能を有し、駆動電源電圧が低下した場合であっても少なくとも再生信号はスピーカから出力することができるデジタル方式のノイズキャンセルヘッドホンを提供することを目的とする。
【課題を解決するための手段】
【００１９】
本発明は、周囲の騒音を電気信号に変換するマイクロホンと、マイクロホンで変換される騒音信号の位相を反転させてキャンセルノイズを生成するキャンセルノイズ生成手段と、オーディオ信号と上記キャンセルノイズを混合して信号・音響変換素子に入力する混合器と、を備えるデジタル方式のノイズキャンセルヘッドホンにおいて、上記ノイズキャンセル生成手段の動作条件を記憶する記憶手段と、上記記憶手段から動作条件の読出し条件を選択する選択手段とを有し、上記キャンセルノイズ生成手段が、上記選択手段によって上記記憶手段から読み出された動作条件に基づいて動作するよう構成されていることを最も主要な特徴とする。
【００２０】
また、本発明は、上記のノイズキャンセルヘッドホンにおいて、上記混合器がアナログ回路で構成されていることを特徴とする。また、本発明は上記のノイズキャンセルヘッドホンにおいて、上記マイクロホンが、ヘッドホン筐体内であって上記信号・音響変換素子から出力される信号による音響空間外に設置されていることを特徴とする。
【発明の効果】
【００２１】
本発明によれば、デジタル方式ノイズキャンセルヘッドホンにおいて、キャンセルするノイズの周波数特性を任意に設定、変更することができ、かつ、スピーカ本来の周波数特性を犠牲にすることなく、ハウリングも発生しない、高音質な再生音を楽しむことができるノイズキャンセルヘッドホンを得ることができる。また、ノイズキャンセル用回路の駆動電源電圧が低下し、デジタル回路の動作が停止しても、再生音を楽しむことができる。
【００２２】
さらに、キャンセルするノイズの帯域、ノイズの音量レベルやノイズのキャンセルレベルを任意に変更することができる。
【発明を実施するための最良の形態】
【００２３】
以下、本発明にかかるノイズキャンセルヘッドホンの実施形態について、図を用いて説明する。図１は左右一対で構成されるノイズキャンセルヘッドホン筐体の片側を示した概略図である。図１において筐体１には、当該ノイズキャンセルヘッドホンの利用者の周囲のノイズＮ（５２）がマイク１０によって集音されるように筐体１の一部に設けた貫通孔２０と、筐体１の外側に向けて設置されているマイク１０と、マイク１０が集音したノイズＮに対して、ノイズキャンセル信号を生成するＤＳＰ５１と、ＤＳＰ５１が生成したノイズキャンセル音に音源Ｓから入力された再生音を混合するアナログミキサ６５と、アナログミキサ６５の出力を利用者の耳１００に向けて出力するスピーカ３０が備わっている。
【００２４】
また、筐体１にはＤＳＰ５１の駆動電源である図示しない電池が収まっている。また、筐体１には、利用者が選択することができる切替えスイッチ（ＳＷ１，ＳＷ２、ＳＷ３）が備わっている。このＳＷ１、ＳＷ２、ＳＷ３は、ＤＳＰ５１の処理に必要な設定を利用者が任意に選択するためのものである。
【００２５】
図１に示すように、マイク１０をスピーカ３０の反対側、すなわち、外側に向かって設置することにより、スピーカ３０から出力される再生音をマイク１０が集音することなくハウリングの発生を防ぐことができ、かつ、スピーカの周波数特性を犠牲にすることなく、高音質のノイズキャンセルヘッドホンを得ることができる。
【００２６】
次に、本発明にかかるノイズキャンセルヘッドホンのノイズキャンセル処理の実施形態について図を用いて説明する。図２は、本発明に係るノイズキャンセルヘッドホンの筐体１に収められるＤＳＰ５１、アナログミキサ６５からなる処理回路の機能ブロック図である。図２において、ＤＳＰ５１は、マイク１０（図１参照）が集音したノイズＮ（５２）の音量をチェックするノイズレベルチェック部５３と、ノイズＮを周波数分析する高速フーリエ変換器（ＦＦＴ）５４と、ＦＦＴ５４で周波数分析することにより得られる周波数特性５６のうち、キャンセルしたい周波数帯域などを内部メモリ５５に記憶されている各種パラメータによって選択する動作選択部５９と、ＳＷ１・ＳＷ２・ＳＷ３によって内部メモリ５３に記憶されているパラメータを選択してキャンセルレベルチェック部５３とキャンセル動作選択部５９に通知するパラメータ選択部５７と、キャンセル動作選択部５９で選択されたパラメータに基づいて周波数帯域の信号を逆フーリエ変換してキャンセル音信号−Ｎ’’を生成する逆フーリエ変換器（ＩＦＦＴ）６０を備えている。このように、キャンセル音信号−Ｎ’’を生成する信号処理回路はＤＳＰからなり、この実施例はデジタル方式のノイズキャンセルヘッドホンを構成している。
【００２７】
アナログミキサ６５は、ＤＳＰに含まれる上記ＩＦＦＴ６０から出力されたキャンセル音信号−Ｎ’’６２とプレーヤによる再生信号Ｓとをミックスしてスピーカ３０に出力する。ヘッドホンに回り込んで侵入する騒音Ｎは、上記キャンセル音−Ｎ’’と合成されてＮ−Ｎ’’の信号となり、騒音Ｎの大半はキャンセルされて、使用者はほぼ再生音Ｓのみを聴くことができる。なお、キャンセル音信号−Ｎ’’は、図示しないＤ／Ａ変換器によるアナログ信号に変換されてアナログミキサ６５に入力される。
【００２８】
内部メモリ５５に記憶される複数のパラメータは、例えばフィルタ係数、キャンセル効果量、キャンセルレベルであって、これらを任意に指定可能なものである。フィルタ係数は、所定の周波数帯域のノイズに対してのみキャンセル音−Ｎ’’を生成するようにするＢＰＦ（Band
Pass Filter）、所定の周波数帯以下のノイズに対してのみキャンセル音−Ｎ’’を生成するようにするＬＰＦ（Low
Pass Filter）、所定の周波数帯以上のノイズに対してのみキャンセル音−Ｎ’’を生成するようにするＨＰＦ（High
Pass Filter）に相当する処理をＤＳＰが行なうことを可能にするＦＩＲフィルタの係数を設定するパラメータである。
【００２９】
キャンセル効果量は、キャンセル音−Ｎ’’の音量レベルを選択するパラメータである。このパラメータによって、ノイズＮを完全にキャンセルすることなく、利用者の嗜好に応じて、ノイズＮを低減させることが可能になる。
【００３０】
キャンセルレベルは、マイク１０が集音したノイズＮの音量レベルが、キャンセル信号生成処理を行なう必要があるレベルであるか否かをチェックする処理に用いる閾値を示すパラメータである。一定音量以上のノイズＮがマイク１０から入力された場合にのみ、ＩＦＦＴによるキャンセル音−Ｎ’’を生成する処理を行なうようにし、一定未満のノイズＮであれば、キャンセル音−Ｎ’’の生成を行なわないように選択することができるようになる。
【００３１】
図３は、ＤＳＰ５１におけるキャンセル音−Ｎ’’を生成する処理の流れを示すフローチャートである。まず、マイク１０から入力されたノイズＮが内部メモリ５５に記憶されているキャンセルレベル以上に相当する音量であるか否かを判定する処理を行なう（２０１）。当該判定処理の結果、キャンセルレベル以上に相当する音量であると判定されなければ、キャンセル音−Ｎ’’を生成する処理は行なわずに処理を終了する（２０１のＮ）。次に、ノイズＮに対してＦＦＴ５４による周波数分析処理（２０２）を行い、この処理によって得られるノイズＮの周波数特性に対してフィルタ処理を行なう（２０３）。この処理で用いられるＦＩＲフィルタ係数は、ＳＷ１の選択によって内部メモリ５５から読み出される。
【００３２】
次にＳＷ２の選択によって内部メモリ５５から読み出されたキャンセル効果量を示すパラメータを用いて、上記フィルタ処理された周波数特性をＩＦＦＴ６０による逆フーリエ変換処理を行なってキャンセル音信号−Ｎ’’を生成する（２０４）。
【００３３】
上記生成されたキャンセル音信号−Ｎ’’すなわち、ノイズＮの信号のぎゃく位相信号をアナログミキサ６５に出力する（２０５）。
【００３４】
上記のようにマイク１０が捉えたノイズＮの音量に応じたノイズキャンセル処理、特定の周波数帯におけるノイズのみをキャンセルする処理、ノイズのキャンセル量を利用者の選択によって切替える処理を行なうことができるノイズキャンセルヘッドホンを得ることができ、これによって、利用者の嗜好や周囲の使用環境によって、最適なノイズキャンセルを行なうことが可能となる。
【００３５】
ノイズキャンセルヘッドホンの主体をなすＤＳＰ５１は、その動作電源である電池が装填されていないとき、あるいは電源電圧が低下すると動作することができない。従来のデジタル方式ノイズキャンセルヘッドホンであれば、ＤＳＰが動作しなければ、ノイズキャンセル動作のみでなく、再生信号Ｓによる音声の出力もできない。その点、図示の実施例によれば、キャンセル音信号−Ｎ″と再生信号Ｓを、ＤＳＰ５１の外に設けたアナログミキサ６５で混合する構成になっているため、ＤＳＰ５１が動作しなければキャンセル音信号−Ｎ″が生成されないだけであり、アナログミキサ６５を介して再生信号Ｓがスピーカに入力され、スピーカから出力される再生音を聴くことができる。
【図面の簡単な説明】
【００３６】
【図１】本発明に係るノイズキャンセルヘッドホンの構造の例を示す概略図である。
【図２】本発明に係るノイズキャンセルヘッドホンに搭載される処理回路の例を示すブロック図である。
【図３】本発明に係るノイズキャンセル処理の流れを示すフローチャートである。
【図４】従来のアナログ方式ノイズキャンセルヘッドホンの例を示すブロック図である。
【図５】従来のデジタル方式ノイズキャンセルヘッドホンの例を示すブロック図である。
【符号の説明】
【００３７】
１  筐体
１０  マイク
３０  スピーカ
５１  ＤＳＰ
６５  アナログミキサ
１００  耳
【図１】
2008028937.tif 000003
【図２】
2008028937.tif 000004
【図３】
2008028937.tif 000005
【図４】
2008028937.tif 000006
【図５】
2008028937.tif 000007